(57)【要約】【課題】レンズユニットと台座マウントのレンズ保持部との接着作業を安定して行うことができるレンズモジュール等を提供する。【解決手段】カメラモジュール１は、外部から入射される光を集光して出射する第１及び第２のレンズ４，６と、第１及び第２のレンズ４，６を収納するバレル２ａと、第１及び第２のレンズ４，６を収納したバレル２ａを接着剤８により接着して収納するレンズ収納部３ａと、第１及び第２のレンズ４，６から出射される光を受けて電気信号に変換して出力するセンサ１６を収納する素子収納部３ｂとを備えた台座３とを備え、台座３は、バレル２ａを接着する接着剤８が配される凹部３ｅが、台座３のレンズ収納部３ａの上端面であってレンズ収納部３ａの中心を挟んで反対の位置に対として設けられ、凹部３ｅの対が複数形成されている。【選択図】図３
2009186756.tif 000002
【特許請求の範囲】
【請求項１】
外部から入射される光を集光して出射するレンズと、
前記レンズを収納するバレルと、
前記レンズを収納した前記バレルを接着剤により接着して収納するレンズ収納部と、当該レンズから出射される光を受けて電気信号に変換して出力する撮像素子を収納する素子収納部とを備えた台座マウントと
を備え、
前記台座マウントは、前記バレルを接着する接着剤が配される凹部が、当該台座マウントの前記レンズ収納部の上端面であって当該レンズ収納部の中心を挟んで反対の位置に対として設けられ、当該凹部の対が複数形成されていることを特徴とするレンズモジュール。
【請求項２】
前記バレルは、当該バレルの外周に前記台座マウントの前記レンズ収納部に螺合する雄ねじ部と当該雄ねじ部の一部を切り欠いた切欠部とが形成され、
前記バレルは、当該バレルの前記切欠部に当該バレルのゲート部が形成されていることを特徴とする請求項１に記載のレンズモジュール。
【請求項３】
前記バレルは、当該バレルの外周に形成された前記雄ねじ部の一部を平坦面にして前記切欠部が形成されていることを特徴とする請求項２に記載のレンズモジュール。
【請求項４】
前記バレルは、当該バレルの前記ゲート部が、当該バレルの外周に形成された前記雄ねじ部を前記切欠部に延長させて形成される仮想の雄ねじの谷径よりも当該バレルの中心側に形成されていることを特徴とする請求項２又は３に記載のレンズモジュール。
【請求項５】
外部から入射される光を集光して出射するレンズと、当該レンズを収納するバレルとを含むレンズユニットと、
前記レンズユニットの前記レンズから出射される光を受けて電気信号に変換して出力する撮像素子と、
前記レンズユニットを接着剤により接着して収納するレンズ収納部と、前記撮像素子を収納する素子収納部とを備えた台座マウントと
を備え、
前記レンズユニットの前記バレルは、前記台座マウントの前記レンズ収納部に螺合する雄ねじ部と、当該雄ねじ部の一部を切り欠いた切欠部と、当該切欠部に形成された当該バレルの成形のためのゲート部とが、当該バレルの外周に形成され、
前記台座マウントは、当該台座マウントの前記レンズ収納部の上端面に前記レンズユニットを接着する接着剤が配される凹部が形成され、
前記凹部は、前記台座マウントの前記レンズ収納部の中心を挟んで反対の位置に対として形成され、
前記凹部の対は、前記台座マウントの前記レンズ収納部の上端面に複数形成されていることを特徴とするカメラモジュール。
【請求項６】
接着剤は、複数の前記凹部のうち対となっている２つの凹部のいずれもが前記バレルの前記ゲート部から離れた位置にある当該凹部の対に配されることを特徴とする請求項５に記載のカメラモジュール。
【請求項７】
前記台座マウントは、略円筒形状の前記レンズ収納部と略方形の前記素子収納部とから構成され、
前記凹部の対は、前記台座マウントの前記素子収納部の四隅に対応する前記レンズ収納部の前記上端面の位置に二対形成されていることを特徴とする請求項５に記載のカメラモジュール。
【請求項８】
接着剤は、二対の前記凹部のうち対となっている２つの凹部のいずれもが前記バレルの前記ゲート部から離れた位置にある当該凹部の対に配されることを特徴とする請求項７に記載のカメラモジュール。
【発明の詳細な説明】
【技術分野】
【０００１】
本発明は、例えば携帯電話機等に搭載されるレンズモジュール及びカメラモジュールに関する。
【背景技術】
【０００２】
例えば、携帯電話や監視用カメラ等に用いられる小型カメラモジュールのレンズモジュールでは、レンズをバレルに収納して接着剤で固定し位置決めをしている。
レンズを収納したバレルが接着剤によって接着される公報掲載の従来技術として、例えば、レンズを保持し、レンズホルダと、レンズホルダを光軸方向に移動可能に保持するホルダと、レンズホルダの外周部分に接着剤により固定される調整部材とを具備し、レンズホルダの外周には、被写体側に向かって縮径するテーパが設けられ、溝部への接着剤の充填を容易にする技術が存在する（例えば、特許文献１参照）。
また、他の公報掲載の従来技術として、バレルと台座の少なくとも一方に両者に跨がるとともに外来光の受光が可能な凹部を形成し、この凹部に注入された光硬化型接着剤でバレルと台座を固着する技術が存在する（例えば、特許文献２参照）。
【０００３】
【特許文献１】特開２００５−１９５６８２号公報
【特許文献２】特開２００６−３３０１２１号公報
【発明の開示】
【発明が解決しようとする課題】
【０００４】
ところで、レンズユニットを台座マウントのレンズ保持部に螺合するカメラモジュールの場合、振動等で螺合状態が変化することがある。かかる場合、レンズから出射された光が撮像領域に適切に結像しない恐れがある。このような事態を避けるため、レンズユニットを台座マウントのレンズ保持部に螺合して結像調節した後、接着剤等を用いて固着することが行われている。
しかし、例えば接着箇所の目標がない状態で接着作業を行うと、作業者による作業のばらつきが生じ、接着不良が生じる恐れがある。
【０００５】
本発明は、レンズユニットと台座マウントのレンズ保持部との接着作業を安定して行うことができるレンズモジュール等を提供することを目的とする。
【課題を解決するための手段】
【０００６】
上記課題を解決するために、本発明にかかるレンズモジュールは、外部から入射される光を集光して出射するレンズと、レンズを収納するバレルと、レンズを収納したバレルを接着剤により接着して収納するレンズ収納部と、レンズから出射される光を受けて電気信号に変換して出力する撮像素子を収納する素子収納部とを備えた台座マウントとを備え、台座マウントは、バレルを接着する接着剤が配される凹部が、台座マウントのレンズ収納部の上端面であってレンズ収納部の中心を挟んで反対の位置に対として設けられ、凹部の対が複数形成されていることを特徴とする。
【０００７】
ここで、バレルは、バレルの外周に台座マウントのレンズ収納部に螺合する雄ねじ部と雄ねじ部の一部を切り欠いた切欠部とが形成され、バレルは、バレルの切欠部にバレルのゲート部が形成されていることを特徴とすれば、ゲート部はバレルの切欠部と台座マウントのレンズ収納部との間に入り込むので、ゲート部がレンズモジュールの大きさに影響を与えることはなく、コンパクトなレンズモジュールを実現できる。
また、バレルは、バレルの外周に形成された雄ねじ部の一部を平坦面にして切欠部が形成されていることを特徴とすれば、切欠部を簡易に製作することができ、金型代を低く抑えることが可能となる。
更に、バレルは、バレルのゲート部が、バレルの外周に形成された雄ねじ部を切欠部に延長させて形成される仮想の雄ねじの谷径よりもバレルの中心側に形成されていることを特徴とすれば、ゲート部によってバレルと台座マウントのレンズ収納部との間の螺合が阻害されることはない。
【０００８】
上記課題を解決するために、本発明にかかるカメラモジュールは、外部から入射される光を集光して出射するレンズと、レンズを収納するバレルとを含むレンズユニットと、レンズユニットのレンズから出射される光を受けて電気信号に変換して出力する撮像素子と、レンズユニットを接着剤により接着して収納するレンズ収納部と、撮像素子を収納する素子収納部とを備えた台座マウントとを備え、レンズユニットは、レンズユニットのバレルの外周に台座マウントのレンズ収納部に螺合する雄ねじ部と雄ねじ部の一部を切り欠いた切欠部と切欠部にバレルのゲート部とが形成され、台座マウントは、レンズユニットを接着する接着剤が配される凹部が、台座マウントのレンズ収納部の上端面であってレンズ収納部の中心を挟んで反対の位置に対として複数形成されていることを特徴とする。
【０００９】
ここで、接着剤は、複数の凹部のうち対となっている２つの凹部のいずれもがバレルのゲート部から離れた位置にある凹部の対に配されることを特徴とすれば、バレルの切欠部と台座マウントのレンズ収納部との間の空隙に接着剤が入り込むことはない。
また、台座マウントは、略円筒形状のレンズ収納部と略方形の素子収納部とから構成され、凹部の対は、台座マウントの素子収納部の四隅に対応するレンズ収納部の上端面の位置に二対形成されていることを特徴とすれば、仮に接着剤が凹部から溢れても、台座マウントの素子収納部の上面が受け皿となって溢れた接着剤を受けることができる。
更に、接着剤は、二対の凹部のうち対となっている２つの凹部のいずれもがバレルのゲート部から離れた位置にある凹部の対に配されることを特徴とすれば、バレルの切欠部と台座マウントのレンズ収納部との間の空隙に接着剤が入り込むことはない。
【発明の効果】
【００１０】
本発明によれば、レンズユニットと台座マウントのレンズ保持部との接着作業を安定して行うことができるレンズモジュール等を提供できる。
【発明を実施するための最良の形態】
【００１１】
以下、添付図面を参照して、本発明を実施するための最良の形態（実施の形態）について詳細に説明する。
図１は、本実施の形態にかかるカメラモジュール１を示す外観斜視図であり、図２は、本実施の形態にかかるカメラモジュール１の分解斜視図である。
【００１２】
図１及び図２に示すように、カメラモジュール１は、入射光を集光する複数のレンズ（図３参照）を保持し、センサ１６（図３参照）上に入射光を結像するレンズユニット２と、レンズユニット２を保持する台座マウントの一例としての台座３とを備えている。そして、回路基板２０上に台座３が接着されて、カメラモジュール１は構成されている。回路基板２０上に配されたコネクタ２１は、図示しない回路パターンによって台座３に電気的に接続されている。
図２に示すように、台座３は、レンズユニット２が取り付けられ、回路基板２０との間にセンサ１６（図３参照）を搭載した方形のガラスカバー１７を収容保持している。
【００１３】
図３は、本実施の形態にかかるカメラモジュール１の縦断面図である。
図３に示すように、レンズユニット２は、レンズユニット２本体を構成するバレル２ａを有し、バレル２ａ内に外光の入射側に保持される第１のレンズ４と出射側に保持される第２のレンズ６とを保持し収容している。また、レンズユニット２は、第１及び第２のレンズ４，６の間に、通過光量を制限する中間環５を有する。更に、レンズユニット２は、第２のレンズ６の外側（図３の下側）に、第２のレンズ６を所定位置に保持するレンズ押さえ７を有している。
【００１４】
台座３は、レンズユニット２が取り付けられるレンズ収納部３ａと、フィルタ１５やセンサ１６、ガラスカバー１７を収容保持する素子収納部３ｂとが一体に構成されている。また、台座３は、レンズ収納部３ａの内部空間と素子収納部３ｂの内部空間とが連続するように構成されている。更に、台座３は、内面から延びて内部空間を狭めるように形成されたフランジ部３ｄを有する。
台座３は、レンズ収納部３ａの内周面に雌ねじ３ｃ（図６参照）が形成されている。そして、バレル２ａの外周面に形成された雄ねじ部２ｃ（後述）がレンズ収納部３ａの雌ねじ３ｃ（図６参照）に螺合されて、レンズユニット２が台座３のレンズ収納部３ａに取り付けられる。
台座３は、例えば黒色の液体ポリマー（ＬＣＰ）樹脂、ポリフタルアミド樹脂、ＰＥＥＫ（ポリエーテルエーテルケトン）樹脂等の遮光性を有し、且つ、リフロー温度に耐えられる耐熱性を有する合成樹脂により構成される。ここで、耐熱温度は２００℃以上が望ましく、より好ましくは２６０〜３００℃であることが望ましい。
【００１５】
（バレル）
図４は、本実施の形態にかかるバレル２ａの斜視図であり、図５は、バレル２ａを台座３のレンズ収納部３ａに収納したときの部分拡大図である。
バレル２ａは、例えば黒色の液体ポリマー（ＬＣＰ）樹脂、ポリフタルアミド樹脂、ＰＥＥＫ（ポリエーテルエーテルケトン）樹脂等の遮光性を有し、且つ、リフロー温度に耐えられる耐熱性を有する合成樹脂により構成され射出成形により製作される。ここで、耐熱温度は２００℃以上が望ましく、より好ましくは２６０〜３００℃であることが望ましい。
【００１６】
図４に示すように、バレル２ａは、略円筒形状であり、外周面に雄ねじ部２ｃが形成されている。そして、バレル２ａは、雄ねじ部２ｃの一部を平坦面に切り欠いた切欠部２ｅが形成され、切欠部２ｅにバレル２ａの射出成形のためのゲート部２ｄが形成されている。
図５に示すように、バレル２ａのゲート部２ｄは、雄ねじ部２ｃの谷径を切欠部２ｅ側に延長させて形成される仮想の谷径よりもバレル２ａの中心側に形成されている。これにより、バレル２ａが台座３のレンズ収納部３ａに螺合されるとき、射出成型で生じたゲート部２ｄが、レンズ収納部３ａの内側面（特に雌ねじ３ｃの山径）に接触するのを防いでいる。
【００１７】
図３に戻って説明を続ける。
第１及び第２のレンズ４，６は、外光を透過してセンサ１６の受光領域（撮像エリア）１６ａに結像させるための光学素子である。即ち、バレル２ａの開口部から入射した外光がセンサ１６の受光領域１６ａに結像するように、第１及び第２のレンズ４，６は所定の光学系を形成する。尚、本実施の形態では、レンズユニット２は第１及び第２のレンズ４，６で構成されているが、レンズは１枚或いは３枚であっても構わない。所定の光学系は、単一のレンズ又は複数枚のレンズ群で構成される。
第１及び第２のレンズ４，６は、可視光を良好に透過する性質を有し、例えば、耐熱性を有する透明なシリコーン系樹脂材料（シリコーンレジン）等の合成樹脂やガラスなど耐熱性を有する樹脂で構成される。カメラモジュール１全体がリフロー炉に入れられることから、第１及び第２のレンズ４，６の耐熱温度も、バレル２ａや台座３と同じ２００℃以上が望ましく、より好ましくは２６０〜３００℃であることが望ましい。
【００１８】
中間環５は、薄板円環形状を有している。中間環５は、例えば、ＳＵＳ３０４に黒色塗料を焼き付けて構成される。或いは、中間環５は、例えば、カーボンブラックを練り込んだ延伸ポリエステル（ＰＥＴ）等の合成樹脂フィルムで構成される。中間環５は、その厚さによって第１のレンズ４と第２のレンズ６との面間距離を一定に保つと共に、中央に穿かれた孔の孔径で通過光量を制限する絞り機能を有している。即ち、中間環５は、光学系の開口径を決定する光学絞り、或いは、ゴースト、フレア等の不要光を遮光する遮光絞りとして使われる。
レンズ押さえ７は、略円環形状を有している。レンズ押さえ７は、例えば、黒色のポリカーボネート（ＰＣ）樹脂等で構成される。或いは、レンズ押さえ７は、ポリカーボネート樹脂とガラス繊維とカーボンブラック等の黒色顔料の混合物から構成される。レンズ押さえ７は、バレル２ａの内側面に接触して第２のレンズ６をバレル２ａ内の所定位置に保持している。そして、図示しない接着剤にてバレル２ａの内壁面に接着されることで、第１及び第２のレンズ４，６を所定位置に取り付けて保持している。
【００１９】
フィルタ１５は、光の特定の波長成分を除去する薄板の部材である。本実施の形態では、多層膜による光の干渉によって赤外光をカットする赤外線除去フィルタ（ＩＲＣＦ：Infrared Cut Filter）を用いている。フィルタ１５は、台座３の素子収納部３ｂ側からフランジ部３ｄに取り付けられ、接着される。フィルタ１５がフランジ部３ｄに取り付けられたとき、台座３の内部空間はレンズ収納部３ａと素子収納部３ｂの２つに仕切られる。このフィルタ１５は、センサ１６の近傍に配置されており、センサ１６側を密閉して異物がレンズ収納部３ａから素子収納部３ｂ側へ侵入することを防止する。
センサ１６は、ＣＣＤ（Charge Coupled Device）やＣＭＯＳ（Complementary Metal Oxide Semiconductor）等のイメージセンサ（撮像素子）である。センサ１６は、レンズユニット２を介して受光領域１６ａに結像した光に応じて電気信号を生成し出力する。受光領域１６ａの周囲には複数の半田バンプ１８が配されており、センサ１６は、半田バンプ１８を介してガラスカバー１７に固定されると共に、ガラスカバー１７の電極と電気的に接続されている。
【００２０】
ここで、センサ１６とガラスカバー１７との離間距離は、半田バンプ１８の大きさによって決定される。半田バンプ１８の大きさを制御することは容易であるから、センサ１６とガラスカバー１７との位置決めを正確に行うことが可能である。また、複数の半田バンプ１８により位置決めされて、センサ１６とガラスカバー１７との離間距離が平均化される。
センサ１６は、受光領域１６ａがガラスカバー１７と向き合って、ＣＳＰ（Chip Size Package）と呼ばれる技術を使ってガラスカバー１７に取り付けられている。これにより、センサ１６の受光領域１６ａに埃等が直接落ちることを防いでいる。
【００２１】
ガラスカバー１７は、方形を有している。ガラスカバー１７は、例えば、ガラス又は石英ガラス等の可視光に対して透光性を有する透明体により構成される。ガラスカバー１７は、レンズユニット２とセンサ１６との間に配置されている。ガラスカバー１７は、センサ１６の受光領域１６ａを覆っており、受光領域１６ａに異物が侵入することを防いでいる。センサ１６が取り付けられたガラスカバー１７は、フィルタ１５と同様に台座３の素子収納部３ｂに収納され、接着されている。
ガラスカバー１７は、出射面（図３における下面）側に配線パターン１７ａが形成されている。そして、出射面側の電極の別の位置に半田バンプ１９が形成され、この配線パターン１７ａに接続している。これにより、センサ１６と半田バンプ１９とは電気的に接続している。
【００２２】
回路基板２０は、例えば、ガラス繊維とエポキシ樹脂を主材とする絶縁性材料で構成され、表面に銅等の導体箔層を形成し、更に導体箔層の上に絶縁体層を被せて保護した回路基板である。本実施形態に使用する回路基板２０は、厚さが約０．３ｍｍである。尚、ポリイミド樹脂を主体とするフレキシブルプリント基板で構成されても良い。
回路基板２０は、所定の回路パターン（図示省略）がソルダーペーストで予め印刷されている。そして、コネクタ２１が所定位置に搭載されている。
半田バンプ１９により、ガラスカバー１７と回路基板２０との間の電気的な接続が確保される。半田バンプ１９は、ガラスカバー１７に固定されているセンサ１６と回路基板２０とが互いに離間するためのスペーサとしても用いられている。
【００２３】
（台座）
図６は、本実施の形態にかかる台座３の斜視図であり、図７は、本実施の形態にかかるカメラモジュール１の平面図である。
図６に示すように、台座３は、レンズユニット２（図３参照）を接着する接着剤が配される凹部３ｅがレンズ収納部３ａの上端面に複数形成されている。凹部３ｅは、レンズ収納部３ａの中心を挟んで反対の位置にも形成されて凹部３ｅの対を構成している。そして、対となった２つの凹部３ｅに接着剤が配されて、レンズユニット２（図３参照）の中心を挟んで対称の位置からレンズユニット２を接着して、接着のバランスを確保している。
図７に示すように、凹部３ｅの対（３ｅ1と３ｅ3、３ｅ2と３ｅ4）は、素子収納部３ｂの四隅に対応して形成されている。そして、後述するように、対となっている凹部３ｅのいずれもがバレル２ａのゲート部２ｄから離れている凹部３ｅの対（ここでは、３ｅ1と３ｅ3）に接着剤８が配されて、レンズユニット２（図３参照）を接着している。凹部３ｅ3に配された接着剤８は凹部３ｅ3から溢れて、素子収納部３ｂの上面に留まる。このように、凹部３ｅを素子収納部３ｂの四隅に対応した位置に形成することで、接着剤塗布時に接着剤８が凹部３ｅから溢れた場合であっても、溢れた接着剤８は素子収納部３ｂの上面に留まる。即ち、素子収納部３ｂの上面は、凹部３ｅから溢れた僅かな接着剤８の受け皿として機能する。
【００２４】
（凹部）
次に、バレル２ａのゲート部２ｄから離れている凹部３ｅに接着剤８を配する点を、図を用いて説明する。
図８は、本実施の形態にかかるカメラモジュール１の台座３の凹部３ｅ付近を拡大した縦断面図である。図８（ａ）は、バレル２ａのゲート部２ｄ（図８（ｂ）参照）から離れた位置の凹部３ｅに接着剤８が配される場合を説明する図であり、図８（ｂ）は、バレル２ａのゲート部２ｄが凹部３ｅに位置するときを説明する図である。
上述の通り、台座３のレンズ収納部３ａにレンズユニット２を接着する接着剤８は、バレル２ａのゲート部２ｄから離れた位置にある凹部３ｅに配される。
【００２５】
図８（ａ）に示すように、接着剤８は台座３のレンズ収納部３ａに形成された凹部３ｅに配されて、バレル２ａの上部を接着する。接着剤塗布時に凹部３ｅから溢れた接着剤８は素子収納部３ｂの上面に留まっている。
これに対して、図８（ｂ）に示すように、バレル２ａのゲート部２ｄが凹部３ｅに位置するとき、レンズ収納部３ａの側壁面とバレル２ａのゲート部２ｄとの間に空隙が形成される。この位置関係にあるとき、仮に、接着剤を凹部３ｅに配すると、レンズ収納部３ａの側壁面とバレル２ａのゲート部２ｄとが形成する空隙に入り込む。上方から紫外線が照射されても、空隙には紫外線が届かないので、接着剤は未硬化のまま残る。その結果、未硬化の接着剤の揮発成分その他の影響によって、レンズに曇りが発生したり、或いは、接着剤が僅かな空隙を伝って撮像領域へ侵入したりして弊害が生じる恐れがある。
【００２６】
（凹部の変形例）
図９は、台座３の凹部の変形例を示す部分斜視図である。
図９（ａ）は、レンズ収納部３ａの上端面に凹部を形成する点は図３等に示した凹部３ｅと同じであるが、凹部の側面に傾斜を設けて凹部の開口部を広くしている点が相違する。
図９（ｂ）は、レンズ収納部３ａの側壁部の一部を切り欠いて、レンズ収納部３ａの外側からバレル２ａ（図５参照）の雄ねじ部２ｃ（図５参照）に直接接着剤を塗布できるようにしたものである。
図９（ｃ）は、レンズ収納部３ａの側壁部において、レンズ収納部３ａの側壁部の外壁面から内壁面に向かって斜面を形成して凹部を形成した例である。
【００２７】
（カメラモジュールの製造方法）
カメラモジュール１の組み立て（製造）方法を説明する。
バレル２ａに第１のレンズ４が圧入され、その後に中間環５が収納される。そして、第１のレンズ４との間で中間環５を挟み込むように第２のレンズ６が圧入され、レンズ押さえ７が入れられる。
レンズ押さえ７とバレル２ａの内側面とが形成する隅部に接着剤（図示省略）が塗布されて、第１及び第２のレンズ４，６は位置決めされて、レンズユニット２が組み立てられる。
【００２８】
組み立てられたレンズユニット２は、台座３のレンズ収納部３ａに螺合されて仮固定される。
台座３の素子収納部３ｂの所定位置にフィルタ１５が配されて接着される。センサ１６が取り付けられたガラスカバー１７が、台座３の素子収納部３ｂに取り付けられて接着される。
レンズユニット２から出射される光がセンサ１６の受光領域１６ａにて結像するように、レンズ収納部３ａ内でレンズユニット２の螺合が調節される。
レンズユニット２の螺合が調節されたとき、対となっている２つの凹部３ｅのいずれもがバレル２ａのゲート部２ｄから離れている対が作業者によって選択される。結像調節がされると、ディスペンサを使って定量の接着剤８が吐出されて、凹部３ｅに配される。
続いて、台座３の上面から凹部３ｅに配された接着剤８に紫外線が照射されて硬化される。これにより、カメラモジュール１の組み立ては完了する。
組み立てられたカメラモジュール１は、コネクタ２１等が取り付けられた回路基板２０に接続される。
【００２９】
このように、本実施形態にかかるカメラモジュール１によれば、作業者は接着剤８を配する際に、台座３のレンズ収納部３ａの上端面に形成された凹部３ｅを目安にして接着剤を配することができるので、作業者による接着作業のばらつきを排除することができる。
凹部３ｅはレンズ収納部３ａの中心を挟んで反対（対称）の位置に形成されているので、レンズ収納部３ａに対するレンズユニット２の接着バランスを確保することができる。
ゲート部２ｄはバレル２ａの切欠部２ｅと台座３のレンズ収納部３ａとの間に位置するので、ゲート部２ｄがレンズユニット２の大きさに影響を与えることはなく、コンパクトなカメラモジュール１を実現できる。
バレル２ａの外周に形成された雄ねじ部２ｃの一部を平坦面にして切欠部２ｅを形成するので、切欠部２ｅを簡易に製作することができ、バレル２ａの金型代を低く抑えることができる。
【００３０】
また、本実施形態にかかるカメラモジュール１によれば、ゲート部２ｄは、バレル２ａの外周に形成された雄ねじ部２ｃを切欠部２ｅ側に延長させて形成される仮想の雄ねじの谷径よりもバレル２ａの中心側に形成されているので、ゲート部２ｄによってバレル２ａと台座３のレンズ収納部３ａとの螺合が阻害されることはない。
接着剤８は、複数の凹部３ｅのうち対となっている２つの凹部３ｅのいずれもがバレル２ａのゲート部２ｄから離れた位置にある凹部３ｅの対（３ｅ1と３ｅ3）に配されるので、バレル２ａの切欠部２ｅと台座３のレンズ収納部３ａとの間の空隙に接着剤８が入り込むことはない。
凹部３ｅの対は、台座３の素子収納部３ｂの四隅に対応するレンズ収納部３ａの上端面の位置に二対形成されているので、凹部３ｅから溢れた接着剤８を台座３の素子収納部３ｂの上面が受け皿となって受けることができ、外部に影響を与えることがない。
【図面の簡単な説明】
【００３１】
【図１】本実施の形態にかかるカメラモジュールの外観斜視図である。
【図２】図１に示すカメラモジュールの分解斜視図である。
【図３】図１に示すカメラモジュールの縦断面図である。
【図４】図１に示すカメラモジュールのバレルの斜視図である。
【図５】図１に示すカメラモジュールのバレルを台座のレンズ収納部に収納したときの部分拡大図である。
【図６】図１に示すカメラモジュールの台座の斜視図である。
【図７】図１に示すカメラモジュールの平面図である。
【図８】図１に示すカメラモジュールの台座の凹部付近を拡大した縦断面図である。
【図９】台座の凹部の変形例を示す部分斜視図である。
【符号の説明】
【００３２】
１…カメラモジュール、２…レンズユニット、２ａ…バレル、２ｃ…雄ねじ部、２ｄ…ゲート部、２ｅ…切欠部、３…台座（台座マウント）、３ａ…レンズ収納部、３ｂ…素子収納部、３ｃ…雌ねじ、３ｄ…フランジ部、３ｅ…凹部、４…第１のレンズ、５…中間環、６…第２のレンズ、７…レンズ押さえ、８…接着剤、１５…フィルタ、１６…センサ（撮像素子）、１６ａ…受光領域、１７…ガラスカバー、１７ａ…配線パターン、１８，１９…半田バンプ、２０…回路基板、２１…コネクタ
【図１】
2009186756.tif 000003
【図２】
2009186756.tif 000004
【図３】
2009186756.tif 000005
【図４】
2009186756.tif 000006
【図５】
2009186756.tif 000007
【図６】
2009186756.tif 000008
【図７】
2009186756.tif 000009
【図８】
2009186756.tif 000010
【図９】
2009186756.tif 000011